(57)【要約】【課題】        従来、機械式除雪機のブレードやバケット等除雪装置の先端エッジは、鋭いか角張っていた。したがって除雪面の段差や構造物に突き当たりやすく、構造物や除雪装置を損傷させるおそれがあった。これを、除雪面の凹凸を自由に乗り越えながら除雪作業が可能になる円滑移動除雪エッジを提供する。【解決手段】        機械式除雪機のブレードやバケット等除雪装置の先端エッジを、地面に対して円弧を有する形に成形することを特徴とする。円弧を有するエッジ先端部分で圧縮された雪が仮想エッジとして除雪装置の一部分のように働いて、効率良く雪を押し除ける事が可能となる。【選択図】        図７
2006233721.tif 000002
【特許請求の範囲】
【請求項１】
機械式除雪機のブレードやバケット等除雪装置の先端エッジを、地面に向かって後方に円弧を有する形に成形した、円滑移動除雪エッジ。
【発明の詳細な説明】
【技術分野】
【０００１】  この発明は、機械式除雪機のブレードやバケット等除雪装置の先端エッジを、地面に向かって後方に円弧を有する形に成形した、円滑移動除雪エッジに関するものである。
【背景技術】
【０００２】  従来、機械式除雪機のブレードやバケット等除雪装置の先端エッジは、鋭いか角張っていた。
【発明の開示】
【発明が解決しようとする課題】
【０００３】  これは次のような問題点があった。
（イ）機械式除雪機のブレードやバケット等除雪装置先端の金属エッジは、圧雪の切削を可能とさせるため、鋭いか角張っていた。このため、作業時は除雪装置の先端エッジを段差へ突き当てぬように、また、未舗装部分の砂利の巻き込みなどを防止するように、除雪装置と除雪面の間隔を確保するための、こまめな調整が必要であった。
（ロ）上記（イ）の理由により、除雪作業は、あらかじめ除雪面の段差や構造物などの配置情報を熟知しておく必要があった。
（ハ）金属製のエッジを取り付けた除雪装置は、段差や構造物に突き当たると、構造物や除雪装置を損傷させる恐れがあった。
（ニ）機械式除雪機のブレードやバケット等除雪装置先端の、合成樹脂製や合成ゴム製エッジは、段差や構造物に突き当たると、エッジを破損する恐れがあった。
本発明は、以上のような欠点を解消するためになされたものである。
【課題を解決するための手段】
【０００４】  機械式除雪機のブレードやバケット等除雪装置（２）の先端エッジ（１）を、地面に向かって後方に円弧を有する形に成形することにより解決した。円の半径やエッジの形状は、使用場所や取り付けする除雪装置により決定する。
以上の構造よりなる、円滑移動除雪エッジである。
【発明の効果】
【０００５】  本発明の円滑移動除雪エッジは、このような構造であるから下記の効果が得られる。
（イ）円滑移動除雪エッジは常に除雪面の頂部に接触して、除雪面との間の雪のかき残しを最小にできる。
（ロ）円滑移動除雪エッジは、常に除雪面の頂部に接触していながら、段差や構造物を自由に乗り越え、構造物および除雪装置を損傷する可能性を大幅に減少できる。
（ハ）除雪装置のエッジを後方に向かって蒲鉾形に成形することにより、エッジと除雪面が面で接触でき、摩耗に耐え得ると共に、除雪装置の重量を分散して除雪面の損傷を防止できる。
（ニ）除雪装置のエッジを後方に向かって円形に成形することにより、除雪面と除雪装置のなす角度にかかわらず、エッジが段差や構造物に突き当たりにくくなる。
（ホ）本発明を応用することにより、除雪以外の作業においても、地面に対するバケットの微妙な高さ調整作業を軽減できる。
（ヘ）本発明は、除雪装置のエッジが後方に向かって円形となるため、除雪する雪に乗り上げてしまうように推測されがちであるが、実験で除雪能力を確認済みである。
【発明を実施するための最良の形態】
【０００６】  以下、本発明の実施例について説明する。
機械式除雪機のブレードやバケット等除雪装置（２）のエッジ（１）を、地面に向かって後方に円弧を有する形に成形する。エッジの先端も、除雪機の後退を考慮して円弧を有する形状に仕上げる。円の半径やエッジの形状は、使用場所や取り付けする除雪装置により決定する。
本発明は、以上のような構造で、これを使用する時は、除雪面の凹凸を自由に乗り越えながら除雪作業が可能となる。
【図面の簡単な説明】
【０００７】
【図１】本発明の、蒲鉾形の円滑移動除雪エッジの斜視図である。
【図２】本発明の、先端が円形の円滑移動除雪エッジの斜視図である。
【符号の説明】
【０００８】  １  円滑移動除雪エッジ
２  除雪ブレードや除雪バケット等除雪装置
【図１】
2006233721.tif 000003
【図２】
2006233721.tif 000004
【手続補正書】
【提出日】平成17年2月22日(2005.2.22)
【手続補正１】
【補正対象書類名】明細書
【補正対象項目名】０００１
【補正方法】変更
【補正の内容】
【０００１】        この発明は、機械式除雪機のブレードやバケット等除雪装置の先端エッジを、地面に対して円弧を有する形に成形した、円滑移動除雪エッジに関するものである。
【手続補正２】
【補正対象書類名】明細書
【補正対象項目名】０００４
【補正方法】変更
【補正の内容】
【０００４】        機械式除雪機のブレードやバケット等除雪装置の先端エッジを、地面に対して円弧を有する形に加工するか部品を取り付けすることにより解決した。
以上の構造よりなる、円滑移動除雪エッジである。
【手続補正３】
【補正対象書類名】明細書
【補正対象項目名】０００５
【補正方法】変更
【補正の内容】
【０００５】        本発明の円滑移動除雪エッジは、このような構造であるから下記の効果が得られる。
（イ）  円滑移動除雪エッジは常に除雪面の頂部に接触して、除雪面との間の雪のかき残しを最小にできる。
（ロ）  円滑移動除雪エッジは、常に除雪面の頂部に接触していながら、段差や構造物を自由に乗り越え、構造物および除雪装置を損傷する可能性を大幅に減少できる。
（ハ）  除雪装置のエッジ先端を蒲鉾形に成形することにより、エッジと除雪面が面で接触でき、摩耗に耐え得ると共に、除雪装置の重量を分散して除雪面の損傷を防止できる。
（ニ）  除雪装置のエッジ先端を円筒形に成形することにより、除雪面と除雪装置のなす角度にかかわらず、エッジが段差や構造物に突き当たりにくくなる。
（ホ）  除雪装置のエッジ先端に、着脱可能な円滑移動除雪先端部品を取り付けすることにより、既設エッジの有効活用が図れるとともに、除雪面の雪の状態によって通常エッジと円滑移動除雪エッジを使い分けることが可能となる。
（ヘ）  本発明を応用することにより、除雪以外の作業においても、地面に対するバケットの微妙な高さ調整作業を軽減できる。
（ト）  本発明は、除雪装置のエッジ先端が地面に対して円弧を有する形となるため、除雪する雪に乗り上げてしまうように推測されがちであるが、実験で除雪能力を確認済みである
【手続補正４】
【補正対象書類名】明細書
【補正対象項目名】０００６
【補正方法】変更
【補正の内容】
【０００６】        以下、本発明の実施例について説明する。
（イ）機械式除雪機のブレードやバケット等除雪装置（２）のエッジ（１）を、地面に対して円弧を有する形に成形する。
（ロ）機械式除雪機のブレードやバケット等除雪装置（２）のエッジ（４）先端に円弧を有する円滑移動除雪先端部品（３）をネジ止めやフック留め等の方法で取り付けする。
円の半径、エッジ等の形状や材質は、使用場所や取り付けする除雪装置により決定する。
本発明は、以上のような構造で、これを使用する時は、除雪面の凹凸を自由に乗り越えながら除雪作業が可能となる。
【手続補正５】
【補正対象書類名】明細書
【補正対象項目名】０００７
【補正方法】変更
【補正の内容】
【０００７】
【図１】本発明の、蒲鉾形の円滑移動除雪エッジの斜視図である。
【図２】本発明の、先端が円筒形の円滑移動除雪エッジの斜視図である。
【図３】本発明の、円滑移動除雪先端部品を取り付けした除雪エッジの斜視図である。
【手続補正６】
【補正対象書類名】明細書
【補正対象項目名】０００８
【補正方法】変更
【補正の内容】
【０００８】        １  円滑移動除雪エッジ
２  除雪ブレードや除雪バケット等除雪装置
３  円滑移動除雪先端部品
４  除雪エッジ
【手続補正書】
【提出日】平成17年2月22日(2005.2.22)
【手続補正１】
【補正対象書類名】図面
【補正対象項目名】図３
【補正方法】追加
【補正の内容】
【図３】
2006233721.tif 000005
【手続補正書】
【提出日】平成17年2月22日(2005.2.22)
【手続補正１】
【補正対象書類名】特許請求の範囲
【補正対象項目名】請求項１
【補正方法】変更
【補正の内容】
【請求項１】
機械式除雪機のブレードやバケット等除雪装置の先端エッジを、地面に対して円弧を有する形に成形した、円滑移動除雪エッジ。
【手続補正書】
【提出日】平成17年3月7日(2005.3.7)
【手続補正１】
【補正対象書類名】明細書
【補正対象項目名】０００４
【補正方法】変更
【補正の内容】
【０００４】        機械式除雪機のブレードやバケット等除雪装置の先端エッジに、地面に対して円弧を有する部品を取り付けするか、エッジを地面に対して円弧を有する形に加工することにより解決した。
以上の構造よりなる、円滑移動除雪エッジである。
【手続補正２】
【補正対象書類名】明細書
【補正対象項目名】０００５
【補正方法】変更
【補正の内容】
【０００５】        本発明の円滑移動除雪エッジは、このような構造であるから下記の効果が得られる。
（イ）  円滑移動除雪エッジは常に除雪面の頂部に接触して、除雪面との間の雪のかき残しを最小にできる。
（ロ）  円滑移動除雪エッジは、常に除雪面の頂部に接触していながら、段差や構造物を自由に乗り越え、構造物および除雪装置を損傷する可能性を大幅に減少できる。
（ハ）  除雪装置のエッジ先端に、着脱可能な円筒形の円滑移動除雪先端部品を取り付けすることにより、除雪面の雪の状態によって通常エッジと円滑移動除雪エッジを使い分けることが可能となる。
（ニ）  除雪装置のエッジ先端を円筒形に成形することにより、除雪面と除雪装置のなす角度にかかわらず、エッジが段差や構造物に突き当たりにくくなる。
（ホ）  除雪装置のエッジ先端を蒲鉾形に成形することにより、エッジと除雪面が面で接触でき、摩耗に耐え得ると共に、除雪装置の重量を分散して除雪面の損傷を防止できる。
（ヘ）  本発明を応用して、除雪装置のエッジ先端をくの字形に成形することにより、除雪面の凹凸を乗り越えながら圧雪の除雪作業が可能となる。
（ト）  本発明を応用することにより、除雪以外の作業においても、地面に対するバケットの微妙な高さ調整作業を軽減できる。
（チ）  本発明は、除雪装置のエッジ先端が地面に対して円弧を有する形となるため、除雪する雪に乗り上げてしまうように推測されがちであるが、円滑移動除雪エッジに押されて圧縮された雪が、除雪装置の一部分のように働いて雪を押し除ける事を、実験で確認済みである。
【手続補正３】
【補正対象書類名】明細書
【補正対象項目名】０００６
【補正方法】変更
【補正の内容】
【０００６】        以下、本発明の実施例について説明する。
（イ）機械式除雪機のブレードやバケット等除雪装置（２）のエッジ（４）先端に、円弧を有する円滑移動除雪先端部品（３）を、ボルトや油圧装置など使用してエッジにかぶせて使用する。
（ロ）機械式除雪機のブレードやバケット等除雪装置（２）のエッジ（１）を、地面に対して円弧を有する形に成形する。
（ハ）円弧の半径、形状や材質は、使用場所や取り付けする除雪装置により決定する。
本発明は、以上のような構造で、これを使用する時は、除雪面の凹凸を自由に乗り越えながら除雪作業が可能となる。
【手続補正４】
【補正対象書類名】明細書
【補正対象項目名】０００７
【補正方法】変更
【補正の内容】
【０００７】
【図１】本発明の、円滑移動除雪先端部品を取り付けした円滑移動除雪エッジの斜視図である。
【図２】本発明の円滑移動除雪先端部品を、エッジに油圧装置を使用して取り付けした円滑移動除雪エッジの側面図である。
【図３】本発明の円滑移動除雪先端部品を、油圧装置を使用して取り外ししたエッジの側面図である。
【図４】本発明の円滑移動除雪エッジを取り付けした、除雪バケットの側面図である。
【図５】本発明の、蒲鉾形の円滑移動除雪エッジの斜視図である。
【図６】本発明の、先端が円筒形の円滑移動除雪エッジの斜視図である。
【手続補正５】
【補正対象書類名】明細書
【補正対象項目名】０００８
【補正方法】変更
【補正の内容】
【０００８】        １  円滑移動除雪エッジ
２  除雪ブレードや除雪バケット等除雪装置
３  円滑移動除雪先端部品
４  除雪エッジ
５  円滑移動除雪先端部品着脱用油圧装置
【手続補正書】
【提出日】平成17年3月7日(2005.3.7)
【手続補正１】
【補正対象書類名】図面
【補正対象項目名】全図
【補正方法】変更
【補正の内容】
【図１】
2006233721.tif 000006
【図２】
2006233721.tif 000007
【図３】
2006233721.tif 000008
【図４】
2006233721.tif 000009
【図５】
2006233721.tif 000010
【図６】
2006233721.tif 000011
【手続補正書】
【提出日】平成17年6月13日(2005.6.13)
【手続補正１】
【補正対象書類名】図面
【補正対象項目名】図７
【補正方法】追加
【補正の内容】
【図７】
2006233721.tif 000012
【手続補正書】
【提出日】平成17年6月13日(2005.6.13)
【手続補正１】
【補正対象書類名】明細書
【補正対象項目名】０００７
【補正方法】変更
【補正の内容】
【０００７】
【図１】本発明の円滑移動除雪先端部品を、除雪エッジに取り付けした斜視図である。
【図２】本発明の円滑移動除雪先端部品を、除雪エッジに油圧装置を使用して取り付けした側面図である。
【図３】本発明の円滑移動除雪先端部品を、除雪エッジから油圧装置を使用して取り外しした側面図である。
【図４】本発明の円滑移動除雪エッジを取り付けした、除雪バケットの側面図である。
【図５】本発明の先端が蒲鉾形の円滑移動除雪エッジの斜視図である。
【図６】本発明の先端が円筒形の円滑移動除雪エッジの斜視図である。
【図７】本発明の円滑移動除雪先端部品を取り付けした除雪エッジと除雪状況の側面図である。
【手続補正２】
【補正対象書類名】明細書
【補正対象項目名】０００８
【補正方法】変更
【補正の内容】
【０００８】        １  円滑移動除雪エッジ
２  除雪ブレードや除雪バケット等除雪装置
３  円滑移動除雪先端部品
４  除雪エッジ
５  円滑移動除雪先端部品着脱用油圧装置
６  円滑移動除雪先端部品で圧縮された雪による仮想エッジ
７  積雪